【事件の表示】
　特許第５３０１５２４号に関する訂正審判事件について、次のとおり審決する。
【結　論】
　特許第５３０１５２４号の特許請求の範囲を本件審判請求書に添付された訂正特許請求の範囲のとおり、訂正後の請求項２、３、４、７、８、９について訂正することを認める。
【理　由】
第１　手続の経緯
　本件訂正審判の請求に係る特許第５３０１５２４（以下「本件特許」という。）は、平成２２年１２月２１日（パリ条約に基づく優先権主張　２００９年１２月２２日、韓国（ＫＲ））を出願日とする出願の請求項１ないし請求項１１に係る発明について、平成２５年６月２８日にその特許権の設定の登録がされたものであって、本件特許についての訂正の経緯は以下のとおりである。
　　令和２年　８月２４日　　　本件訂正審判請求
　　令和２年１０月３０日付け　訂正拒絶理由通知
　　令和２年１２月２３日　　　意見書
　　令和３年　２月１０日付け　訂正拒絶理由通知
　　令和３年　４月　６日　　　意見書、審判請求書の手続補正書
第２　令和３年４月６日付け手続補正書による訂正審判の審判請求書の補正、及びその適否
１　訂正審判の審判請求書の補正
　令和３年４月６日付け手続補正書による補正（以下、「本件補正」という。）の内容のうち、審判請求書における訂正の要旨に関する補正は、以下のとおりである。
（１）「５．請求の趣旨」について
　審判請求書の「５.　請求の趣旨」の本文について、
「特許第５３０１５２４号の特許請求の範囲を本件審判請求書に添付した訂正特許請求の範囲のとおり訂正することを認める、との審決を求める。」（以下、「補正前の請求の趣旨」という。）
とあったところを、
「特許第５３０１５２４号の特許請求の範囲を本件審判請求書に添付した訂正特許請求の範囲のとおり、訂正後の請求項２、３、４、７、８、および９について訂正することを認める、との審決を求める。」（以下、「補正後の請求の趣旨」という。）
とするものである。
（２）「６．請求の理由」の「（２）訂正事項」について
　審判請求書の「６．請求の理由」の「（２）訂正事項」について、
「ア　訂正事項１
　特許請求の範囲の請求項１に「第２電極物質を含む外部電極」と記載されているのを、「
焼結された
イ　訂正事項２
　特許請求の範囲の請求項６に「前記キャパシタ本体を焼成するステップ」と記載されているのを、「
前記外部電極が付着された
ウ　訂正事項３
　特許請求の範囲の請求項１に「前記内部電極と前記外部電極との接続領域に、前記第１電極物質と前記第２電極物質とが混在した１μｍ超過及び１３μｍ未満の長さを有する拡散層」と記載されているのを、「前記内部電極と前記外部電極との接続領域に
おける前記内部電極の端部に
エ　訂正事項４
　特許請求の範囲の請求項６に「前記内部電極と前記外部電極との接続領域に、前記第１電極物質と前記第２電極物質とが混在した１μｍ超過及び１３μｍ未満の長さを有する拡散層」と記載されているのを、「前記内部電極と前記外部電極との接続領域に
おける前記内部電極の端部に
とあったところを、
「ア　訂正事項１
　特許請求の範囲の請求項２に「前記第１電極物質は、ニッケルまたはニッケル合金を含むことを特徴とする請求項１に記載の積層セラミックキャパシタ」と記載されているのを、「
第１電極物質を含む内部電極及び誘電体層が交互に積層された積層キャパシタ本体と、前記キャパシタ本体の外部表面に形成され、前記内部電極と電気的に連結されて、焼結された第２電極物質を含む外部電極と、を含み、前記内部電極と前記外部電極との接続領域における前記内部電極の端部に、前記第１電極物質と前記第２電極物質とが混在した１μｍ超過及び１３μｍ未満の長さを有する拡散層を備え、
る
イ　訂正事項２
　特許請求の範囲の請求項３に「前記第２極物質は、銅または銅合金を含むことを特徴とする請求項１に記載の積層セラミックキャパシタ」と記載されているのを、「
第１電極物質を含む内部電極及び誘電体層が交互に積層された積層キャパシタ本体と、前記キャパシタ本体の外部表面に形成され、前記内部電極と電気的に連結されて、焼結された第２電極物質を含む外部電極と、を含み、前記内部電極と前記外部電極との接続領域における前記内部電極の端部に、前記第１電極物質と前記第２電極物質とが混在した１μｍ超過及び１３μｍ未満の長さを有する拡散層を備え、
る
ウ　訂正事項３
　特許請求の範囲の請求項４に「前記拡散層は、ニッケル銅合金を含むことを特徴とする請求項１に記載の積層セラミックコンデンサ」と記載されているのを、「
第１電極物質を含む内部電極及び誘電体層が交互に積層された積層キャパシタ本体と、前記キャパシタ本体の外部表面に形成され、前記内部電極と電気的に連結されて、焼結された第２電極物質を含む外部電極と、を含み、前記内部電極と前記外部電極との接続領域における前記内部電極の端部に、前記第１電極物質と前記第２電極物質とが混在した１μｍ超過及び１３μｍ未満の長さを有する拡散層を備え、
る
エ　訂正事項４
　特許請求の範囲の請求項７に「前記第１電極物質は、ニッケルまたはニッケル合金からなることを特徴とする請求項６に記載の積層セラミックキャパシタの製造方法」と記載されているのを、「
第１電極物質を含む内部電極及び誘電体層を交互に積層してキャパシタ本体を形成するステップと、前記キャパシタ本体の外部表面に形成され、前記内部電極と電気的に連結されて、第２電極物質を含む外部電極を形成するステップと、前記キャパシタ本体の上面及び下面のうち少なくとも一面に誘電体形成物質を含む保護層を形成するステップと、前記キャパシタ本体を加圧するステップと、前記外部電極が付着された前記キャパシタ本体を焼成するステップと、を含み、前記内部電極と前記外部電極との接続領域における前記内部電極の端部に、前記第１電極物質と前記第２電極物質とが混在した１μｍ超過及び１３μｍ未満の長さを有する拡散層が形成され、
る
オ　訂正事項５
　特許請求の範囲の請求項８に「前記第２電極物質は、銅または銅合金からなることを特徴とする請求項６に記載の積層セラミックキャパシタの製造方法」と記載されているのを、「
第１電極物質を含む内部電極及び誘電体層を交互に積層してキャパシタ本体を形成するステップと、前記キャパシタ本体の外部表面に形成され、前記内部電極と電気的に連結されて、第２電極物質を含む外部電極を形成するステップと、前記キャパシタ本体の上面及び下面のうち少なくとも一面に誘電体形成物質を含む保護層を形成するステップと、前記キャパシタ本体を加圧するステップと、前記外部電極が付着された前記キャパシタ本体を焼成するステップと、を含み、前記内部電極と前記外部電極との接続領域における前記内部電極の端部に、前記第１電極物質と前記第２電極物質とが混在した１μｍ超過及び１３μｍ未満の長さを有する拡散層が形成され、
る
カ　訂正事項６
　特許請求の範囲の請求項９に「前記拡散層は、ニッケル銅合金からなることを特徴とする請求項６に記載の積層セラミックキャパシタの製造方法」と記載されているのを、「
第１電極物質を含む内部電極及び誘電体層を交互に積層してキャパシタ本体を形成するステップと、前記キャパシタ本体の外部表面に形成され、前記内部電極と電気的に連結されて、第２電極物質を含む外部電極を形成するステップと、前記キャパシタ本体の上面及び下面のうち少なくとも一面に誘電体形成物質を含む保護層を形成するステップと、前記キャパシタ本体を加圧するステップと、前記外部電極が付着された前記キャパシタ本体を焼成するステップと、を含み、前記内部電極と前記外部電極との接続領域における前記内部電極の端部に、前記第１電極物質と前記第２電極物質とが混在した１μｍ超過及び１３μｍ未満の長さを有する拡散層が形成され、
る
とするものである。なお、下線は訂正箇所である。
２　補正の適否
　上記「１」によれば、本件補正は、補正前の訂正事項１ないし４について、
（１）補正前の訂正事項１及び補正前の訂正事項３に記載されていた請求項１及び５に対する訂正事項を削除し、
（２）補正前の訂正事項２及び補正前の訂正事項４に記載された請求項６、１０及び１１に対する訂正事項を削除するとともに、
（３）補正前の訂正事項１及び補正前の訂正事項３に記載されていた請求項２に対する訂正事項をまとめた上で、請求項２を独立請求項に改め、請求項１との引用関係を解消するとした補正後の訂正事項１とし、
（４）補正前の訂正事項１及び補正前の訂正事項３に記載されていた請求項３に対する訂正事項をまとめた上で、請求項３を独立請求項に改め、請求項１との引用関係を解消するとした補正後の訂正事項２とし、
（５）補正前の訂正事項１及び補正前の訂正事項３に記載されていた請求項４に対する訂正事項をまとめた上で、請求項４を独立請求項に改め、請求項１との引用関係を解消するとした補正後の訂正事項３とし、
（６）補正前の訂正事項２及び補正前の訂正事項４に記載されていた請求項７に対する訂正事項をまとめた上で、請求項７を独立請求項に改め、請求項６との引用関係を解消するとした補正後の訂正事項４とし、
（７）補正前の訂正事項２及び補正前の訂正事項４に記載されていた請求項８に対する訂正事項をまとめた上で、請求項８を独立請求項に改め、請求項６との引用関係を解消するとした補正後の訂正事項５とし、
（８）補正前の訂正事項２及び補正前の訂正事項４に記載されていた請求項９に対する訂正事項をまとめた上で、請求項９を独立請求項に改め、請求項６との引用関係を解消するとした補正後の訂正事項６とするものである。
　してみると、上記（１）および（２）は、審判請求の趣旨の減縮的変更に該当するものであり、上記（３）ないし（８）は、請求項２ないし４、７ないし９に対する補正前の各訂正事項をまとめた上で請求項間の引用関係を解消するものであって、審理対象の拡張変更を伴うものではない。
　よって、本件補正は、本件審判請求書の要旨を変更するものではなく、特許法第１３１条の２第１項の規定に適合するから、本件補正を認める。
第３　請求の趣旨及び訂正の内容
　上記「第２」のとおり、審判請求書の補正が認められることから、本件訂正審判の請求の趣旨は、上記「第２」「１」「（１）」「補正後の請求の趣旨」のとおりであり、本件訂正審判請求による訂正（以下「本件訂正」という。）の内容は、「第２」「１」「（２）」「補正後の訂正事項１」ないし「補正後の訂正事項６」のとおりである。
第４　令和２年１０月３０日付け訂正拒絶理由の概要
　当審が令和２年１０月３０付けで通知した訂正拒絶理由の要旨は、以下のとおりである。
　訂正事項１、３、４は、特許法第１２６条第１項ただし書第１号に掲げる「特許請求の範囲の減縮」を目的とするものである。
　そして、本件訂正後の請求項１〜１１に係る発明は、次の（１）及び（２）のとおり、特許出願の際独立して特許を受けることができず、訂正事項１、３、４は、特許法第１２６条第７項の規定に違反するものであるから、本件訂正を認めることはできない。
（１）特許法第２９条第１項第３号について
　訂正後の請求項１ないし４に係る発明は、下記引用文献に記載された発明と同一であるから、特許法第２９条第１項第３号の規定により、特許出願の際、独立して特許を受けることができない。
（２）特許法第２９条第２項について
　訂正後の請求項５に係る発明は、下記引用文献に記載された発明に基づいて当業者が容易に発明をすることができたものであるから、特許法第２９条第２項の規定により、特許出願の際、独立して特許を受けることができない。
　訂正後の請求項６ないし１１に係る発明は、下記引用文献に記載された発明及び慣用的に行われている技術事項に基づいて当業者が容易に発明をすることができたものであるから、特許法第２９条第２項の規定により、特許出願の際、独立して特許を受けることができない。
・引用文献：特開２００５−２２２８３１号公報
第５　令和３年２月１０日付け訂正拒絶理由の概要
　当審が令和３年２月１０日付けで通知した訂正拒絶理由の要旨は、以下のとおりである。
　訂正事項１、３、４は、特許法第１２６条第１項ただし書第１号に掲げる「特許請求の範囲の減縮」を目的とするものである。
　そして、本件訂正後の請求項１〜１１に係る発明は、次の（１）のとおり、特許出願の際独立して特許を受けることができず、訂正事項１、３、４は、特許法第１２６条第７項の規定に違反するものであるから、本件訂正を認めることはできない。
（１）特許法第２９条第２項について
　訂正後の請求項１ないし５に係る発明は、下記引用文献に記載された発明に基づいて、当業者が容易に発明をすることができたものであるから、特許法第２９条第２項の規定により、特許出願の際、独立して特許を受けることができない。
　訂正後の請求項６ないし１１に係る発明は、下記引用文献に記載された発明及び慣用的に行われている技術事項に基づいて当業者が容易に発明をすることができたものであるから、特許法第２９条第２項の規定により、特許出願の際、独立して特許を受けることができない。
・引用文献：特開２００５−２２２８３１号公報
第６　当審の判断
１　訂正の目的について
（１）訂正事項１について
　訂正事項１は、本件訂正前の請求項２が請求項１を引用するものであるところ、請求項間の引用関係を解消した上で、「第２電極物質を含む外部電極」を「焼結された第２電極物質を含む外部電極」と訂正して「第２電極物質」の状態について「焼結された」ことを限定し、また、「前記内部電極と前記外部電極との接続領域に、」を「前記内部電極と前記外部電極との接続領域における前記内部電極の端部に、」と訂正して「拡散層」の形成される場所をより限定するものである。
　よって、訂正事項１は、特許法第１２６条第１項ただし書き第１号に掲げる特許請求の範囲の減縮、及び、第４号に掲げる他の請求項の記載を引用する請求項の記載を当該他の請求項の記載を引用しないものとすることを目的とするものである。
（２）訂正事項２について
　訂正事項２は、訂正事項１と同様に、本件訂正前の請求項３が請求項１を引用するものであるところ、請求項間の引用関係を解消した上で、「第２電極物質を含む外部電極」を「焼結された第２電極物質を含む外部電極」と訂正し、また、訂正前の請求項３の「前記内部電極と前記外部電極との接続領域に、」を「前記内部電極と前記外部電極との接続領域における前記内部電極の端部に、」と訂正するものである。
　よって、訂正事項２も、特許法第１２６条第１項ただし書き第１号に掲げる特許請求の範囲の減縮、及び、第４号に掲げる他の請求項の記載を引用する請求項の記載を当該他の請求項の記載を引用しないものとすることを目的とするものである。
（３）訂正事項３について
　訂正事項３は、訂正事項１と同様に、本件訂正前の請求項４が請求項１を引用するものであるところ、請求項間の引用関係を解消した上で、「第２電極物質を含む外部電極」を「焼結された第２電極物質を含む外部電極」と訂正し、また、訂正前の請求項４の「前記内部電極と前記外部電極との接続領域に、」を「前記内部電極と前記外部電極との接続領域における前記内部電極の端部に、」と訂正するものである。
　よって、訂正事項３も、特許法第１２６条第１項ただし書き第１号に掲げる特許請求の範囲の減縮、及び、第４号に掲げる他の請求項の記載を引用する請求項の記載を当該他の請求項の記載を引用しないものとすることを目的とするものである。
（４）訂正事項４について
ア　訂正事項４は、本件訂正前の請求項７が請求項６を引用するものであるところ、請求項間の引用関係を解消するものである。
イ　そして、訂正事項４は、「前記キャパシタ本体を焼成するステップ」を「前記外部電極が付着された前記キャパシタ本体を焼成するステップ」と訂正するものである。
　ここで、補正された審判請求書（令和３年４月６日付け手続補正書の１２頁１４ないし２１行）において、審判請求人は、訂正後の請求項７に係る発明では、外部電極が付着されたキャパシタ本体を焼成することを明らかにすることで特許請求の範囲を減縮しようとするものである旨主張しているが、訂正後の請求項７の「前記外部電極が付着された前記キャパシタ本体を焼成するステップ」の「前記外部電極」の「前記」は、該「前記外部電極が付着された前記キャパシタ本体を焼成するステップ」の前のステップである「前記キャパシタ本体の外部表面に形成され、前記内部電極と電気的に連結されて、第２電極物質を含む外部電極を形成するステップ」における「外部電極」を示していることは明らかであって、「前記キャパシタ本体を焼成するステップ」時には、既に「キャパシタ本体」に外部電極が形成されているといえるから、「前記キャパシタ本体」について「前記外部電極が付着された前記キャパシタ本体」とする訂正事項は、特許請求の範囲を減縮するものとはいえない。
　しかし、訂正前の請求項７が引用する訂正前の請求項６に係る発明は、「第１電極物質を含む内部電極及び誘電体層を交互に積層してキャパシタ本体を形成するステップと、前記キャパシタ本体の外部表面に形成され、前記内部電極と電気的に連結されて、第２電極物質を含む外部電極を形成するステップと、前記キャパシタ本体の上面及び下面のうち少なくとも一面に誘電体形成物質を含む保護層を形成するステップと、前記キャパシタ本体を加圧するステップと、前記キャパシタ本体を焼成するステップと、を含み、」と記載されていることから、各ステップが任意の順である製造方法も含まれるところ、「前記キャパシタ本体を焼成するステップ」を「前記外部電極が付着された前記キャパシタ本体を焼成するステップ」と訂正することで、少なくとも「・・・外部電極を形成するステップ」の後に「・・・キャパシタ本体を焼成するステップ」が行われることが特定され、本件特許の願書に添付した明細書、特許請求の範囲又は図面（以下、「本件特許明細書等」という。）の段落【００４３】の「次いで、銅を含む外部電極２を付着し、焼成及びめっき工程を行い」との記載と整合が図れ、積層セラミックキャパシタの製造方法における工程が明りょうになったといえる。
ウ　さらに、訂正事項４は、「前記内部電極と前記外部電極との接続領域に、」を「前記内部電極と前記外部電極との接続領域における前記内部電極の端部に、」と訂正して、「拡散層」の形成される場所をより限定するものである。
エ　よって、訂正事項４は、特許法第１２６条第１項ただし書き第１号に掲げる特許請求の範囲の減縮、第３号に掲げる明りょうでない記載の釈明、及び、第４項に掲げる他の請求項の記載を引用する請求項の記載を当該他の請求項の記載を引用しないものとすることを目的とするものである。
（５）訂正事項５について
　訂正事項５は、訂正事項４と同様に、本件訂正前の請求項８が請求項６を引用するものであるところ、請求項間の引用関係を解消した上で、「前記キャパシタ本体を焼成するステップ」を「前記外部電極が付着された前記キャパシタ本体を焼成するステップ」と訂正し、また、訂正前の請求項８の「前記内部電極と前記外部電極との接続領域に、」を「前記内部電極と前記外部電極との接続領域における前記内部電極の端部に、」と訂正するものである。
　よって、上記「（４）」で述べたように、訂正事項５も、特許法第１２６条第１項ただし書き第１号に掲げる特許請求の範囲の減縮、第３号に掲げる明りょうでない記載の釈明、及び、第４号に掲げる他の請求項の記載を引用する請求項の記載を当該他の請求項の記載を引用しないものとすることを目的とするものである。
（６）訂正事項６について
　訂正事項６は、訂正事項４と同様に、本件訂正前の請求項９が請求項６を引用するものであるところ、請求項間の引用関係を解消した上で、「前記キャパシタ本体を焼成するステップ」を「前記外部電極が付着された前記キャパシタ本体を焼成するステップ」と訂正し、また、訂正前の請求項９の「前記内部電極と前記外部電極との接続領域に、」を「前記内部電極と前記外部電極との接続領域における前記内部電極の端部に、」と訂正するものである。
　よって、上記（４）で述べたように、訂正事項６も、特許法第１２６条第１項ただし書き第１号に掲げる特許請求の範囲の減縮、第３号に掲げる明りょうでない記載の釈明、及び、第４号に掲げる他の請求項の記載を引用する請求項の記載を当該他の請求項の記載を引用しないものとすることを目的とするものである。
２　願書に添付した明細書又は特許請求の範囲に記載した事項の範囲内の訂正であるかについて
（１）訂正事項１について
ア　訂正事項１における「第２電極物質を含む外部電極」を「焼結された第２電極物質を含む外部電極」とする訂正事項について
　本件特許明細書等の段落【０００９】の「第２電極物質を含む外部電極」、同段落【００１５】の「第２電極物質を含む外部電極を形成するステップ」、同段落【００３３】の「外部電極２は、銅（Ｃｕ）または銅合金（Ｃｕ　ａｌｌｏｙ）を含む第２電極物質からなっている。」、同段落【００４５】の「本発明によるキャパシタ本体１の外側端部に、第２電極物質である銅ペーストを塗布した」の各記載より、本件特許明細書等には、外部電極に第２電極物質が含まれることが記載されているといえ、さらに、同段落【０００５】の「セラミックキャパシタの側端面に上記の外部電極ペーストを塗布し、外部電極ペーストが塗布されたセラミックキャパシタを焼成して外部電極ペースト内の金属粉末を焼結させることによって外部電極を形成する。」、及び、同【００４３】の「次いで、銅を含む外部電極２を付着し、焼成及びめっき工程を行い、図１のような積層セラミックキャパシタを完成した。」との記載から、第２電極物質が含まれる外部電極が焼結されることは明らかである。
　よって、訂正事項１における「第２電極物質を含む外部電極」を「焼結された第２電極物質を含む外部電極」とする訂正事項は、本件特許明細書等に記載された範囲内の訂正である。
イ　訂正事項１における「前記内部電極と前記外部電極との接続領域に、」を「前記内部電極と前記外部電極との接続領域における前記内部電極の端部に、」とする訂正事項について
　本件特許明細書等の段落【００３４】の「内部電極４と外部電極２との接続領域には、第１電極物質と第２電極物質とが混在した１μｍ超過の長さを有する拡散層４ａが形成される。」、同段落【００３９】の「拡散層４ａは、内部電極４の両方端部のうち少なくとも一つに形成され」との各記載、及び、図３に示された「４ａ」の拡大図からすれば、拡散層４ａが、内部電極４と外部電極２との接続領域における内部電極４の端部に形成されることは明らかである。
　よって、訂正事項１における「前記内部電極と前記外部電極との接続領域に、」を「前記内部電極と前記外部電極との接続領域における前記内部電極の端部に、」とする訂正事項は、本件特許明細書等に記載された範囲内の訂正である。
ウ　訂正事項１における、請求項間の引用関係を解消する訂正事項は、本件特許明細書等に記載された範囲内でされる訂正であることは明らかである。
エ　以上から、訂正事項１は、願書に添付した明細書、特許請求の範囲又は図面に記載した事項の範囲内の訂正であるといえ、特許法第１２６条第５項に適合するものである。
（２）訂正事項２及び訂正事項３について
　訂正事項２、及び、訂正事項３は、訂正事項１と同様の訂正をするものである。
　よって、上記「（１）」で述べたように、訂正事項２、及び、訂正事項３も、願書に添付した明細書、特許請求の範囲又は図面に記載した事項の範囲内の訂正であるといえ、特許法第１２６条第５項に適合するものである。
（３）訂正事項４について
ア　訂正事項４における「前記キャパシタ本体を焼成するステップ」を「前記外部電極が付着された前記キャパシタ本体を焼成するステップ」とする訂正事項について
　本件特許明細書等の段落【００４２】の「次いで、図４ｃのように、積層セラミックキャパシタの陥没された部分を切断し、個別積層セラミックキャパシタを形成した。」、同段落【００４３】の「次いで、銅を含む外部電極２を付着し、焼成及びめっき工程を行い、図１のような積層セラミックキャパシタを完成した。」との記載から、本件特許明細書等には、外部電極が付着された個別積層セラミックキャパシタを焼成することが記載されているといえる。
　よって、訂正事項４における「前記キャパシタ本体を焼成するステップ」を「前記外部電極が付着された前記キャパシタ本体を焼成するステップ」とする訂正事項は、本件特許明細書等に記載された範囲内の訂正である。
イ　訂正事項４における「前記内部電極と前記外部電極との接続領域に、」を「前記内部電極と前記外部電極との接続領域における前記内部電極の端部に、」とする訂正事項について
　本件特許明細書等の段落【００３４】の「内部電極４と外部電極２との接続領域には、第１電極物質と第２電極物質とが混在した１μｍ超過の長さを有する拡散層４ａが形成される。」、同段落【００３９】の「拡散層４ａは、内部電極４の両方端部のうち少なくとも一つに形成され」との各記載、及び、図３に示された「４ａ」の拡大図からすれば、拡散層４ａが、内部電極４と外部電極２との接続領域における内部電極４の端部に形成されることは明らかである。
　よって、訂正事項４における「前記内部電極と前記外部電極との接続領域に、」を「前記内部電極と前記外部電極との接続領域における前記内部電極の端部に、」とする訂正事項は、本件特許明細書等に記載された範囲内の訂正である。
ウ　訂正事項４における、請求項間の引用関係を解消する訂正事項は、本件特許明細書等に記載された範囲内でされる訂正であることは明らかである。
エ　以上から、訂正事項４は、願書に添付した明細書、特許請求の範囲又は図面に記載した事項の範囲内の訂正であるといえ、特許法第１２６条第５項に適合するものである。
（４）訂正事項５及び訂正事項６について
　訂正事項５及び訂正事項６は、訂正事項４と同様の訂正をするものである。
　よって、上記「（３）」で述べたように、訂正事項５及び訂正事項６も、願書に添付した明細書、特許請求の範囲又は図面に記載した事項の範囲内の訂正であるといえ、特許法第１２６条第５項に適合するものである。
３　実質上特許請求の範囲を拡張し、又は変更する訂正ではないことについて
（１）訂正事項１ないし訂正事項３について
　上記「１（１）」ないし「１（３）」で述べたとおり、訂正事項１ないし訂正事項３は、特許請求の範囲の減縮、及び、他の請求項の記載を引用する請求項の記載を当該他の請求項の記載を引用しないものとすることを目的とするものであり、カテゴリーや対象、目的を変更するものではないから、実質上特許請求の範囲を拡張し、又は変更するものに該当せず、特許法第１２６条第６項の規定に適合するものである。
（２）訂正事項４ないし訂正事項６について
　上記「１（４）」ないし「１（６）」で述べたように、訂正事項４ないし訂正事項６は、特許請求の範囲の減縮、明りょうでない記載の釈明、及び、他の請求項の記載を引用する請求項の記載を当該他の請求項の記載を引用しないものとすることを目的とするものであり、カテゴリーや対象、目的を変更するものではないから、実質上特許請求の範囲を拡張し、又は変更するものに該当せず、特許法第１２６条第６項の規定に適合するものである。
４　独立特許要件について
　上記「１」に記載したとおり、訂正事項１ないし６は特許請求の範囲の減縮をその目的としているから、本件訂正後の特許請求の範囲の請求項２ないし４、７ないし９に記載されている事項により特定される発明が特許出願の際独立して特許を受けることができるものであるかについて、検討する。
（１）訂正後の発明
　本件訂正後の請求項２ないし４、７ないし９の記載は、次のとおりである（以下、本件訂正後の請求項２ないし４、７ないし９に係る発明を、それぞれ「訂正発明２」ないし「訂正発明４」、「訂正発明７」ないし「訂正発明９」という。）。
「【請求項２】
　第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した１μｍ超過及び１３μｍ未満の長さを有する拡散層を備え、
　前記第１電極物質は、ニッケルまたはニッケル合金を含むことを特徴とする積層セラミックキャパシタ。
【請求項３】
　第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した１μｍ超過及び１３μｍ未満の長さを有する拡散層を備え、
　前記第２極物質は、銅または銅合金を含むことを特徴とする積層セラミックキャパシタ。
【請求項４】
　第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した１μｍ超過及び１３μｍ未満の長さを有する拡散層を備え、
　前記拡散層は、ニッケル銅合金を含むことを特徴とする積層セラミックキャパシタ。
【請求項７】
　第１電極物質を含む内部電極及び誘電体層を交互に積層してキャパシタ本体を形成するステップと、
　前キャパシタ本体の外部表面に形成され、前記内部電極と電気的に連結されて、第２電極物質を含む外部電極を形成するステップと、
　前記キャパシタ本体の上面及び下面のうち少なくとも一面に誘電体形成物質を含む保護層を形成するステップと、
　前記キャパシタ本体を加圧するステップと、
　前記外部電極が付着された前記キャパシタ本体を焼成するステップと、
　を含み、
　前記内部電極と前記外部電極との接続領域における前記内部電極の端部に、前記第１電極物質と前記第２電極物質とが混在した１μｍ超過及び１３μｍ未満の長さを有する拡散層が形成され、
　前記第１電極物質は、ニッケルまたはニッケル合金からなることを特徴とする積層セラミックキャパシタの製造方法。
【請求項８】
　第１電極物質を含む内部電極及び誘電体層を交互に積層してキャパシタ本体を形成するステップと、
　前記キャパシタ本体の外部表面に形成され、前記内部電極と電気的に連結されて、第２電極物質を含む外部電極を形成するステップと、
　前記キャパシタ本体の上面及び下面のうち少なくとも一面に誘電体形成物質を含む保護層を形成するステップと、
　前記キャパシタ本体を加圧するステップと、
　前記外部電極が付着された前記キャパシタ本体を焼成するステップと、
　を含み、
　前記内部電極と前記外部電極との接続領域における前記内部電極の端部に、前記第１電極物質と前記第２電極物質とが混在した１μｍ超過及び１３μｍ未満の長さを有する拡散層が形成され、
　前記第２電極物質は、銅または銅合金からなることを特徴とする積層セラミックキャパシタの製造方法。
【請求項９】
　第１電極物質を含む内部電極及び誘電体層を交互に積層してキャパシタ本体を形成するステップと、
　前記キャパシタ本体の外部表面に形成され、前記内部電極と電気的に連結されて、第２電極物質を含む外部電極を形成するステップと、
　前記キャパシタ本体の上面及び下面のうち少なくとも一面に誘電体形成物質を含む保護層を形成するステップと、
　前記キャパシタ本体を加圧するステップと、
　前記外部電極が付着された前記キャパシタ本体を焼成するステップと、
　を含み、
　前記内部電極と前記外部電極との接続領域における前記内部電極の端部に、前記第１電極物質と前記第２電極物質とが混在した１μｍ超過及び１３μｍ未満の長さを有する拡散層が形成され、
　前記拡散層は、ニッケル銅合金からなることを特徴とする積層セラミックキャパシタの製造方法。」
（２）引用文献の記載及び引用発明
ア　令和３年２月１０日付け訂正拒絶理由通知書で引用した引用文献（特開２００５−２２２８３１号公報）には、以下の事項が記載されている。（下線は、当審で付与。）
「【０００２】
　積層セラミック電子部品、例えば
積層セラミックコンデンサは、一般に次のようにして製造される
誘電体セラミックグリーンシート上に、内部電極用導体ペーストを所定のパターンで印刷する。このシートを複数枚積み重ね、圧着して、セラミックグリーンシートと内部電極ペースト層とが交互に積層された未焼成の積層体を得る。得られた積層体を所定の形状に切断した後、
積層セラミックコンデンサ素体を得る。
素体の内部電極の露出する端面に、導電性粉末、ガラス粉末および有機ビヒクルを主成分とする端子電極用導体ペーストを浸漬等により塗布し
高温で焼成することにより端子電極が形成される。
（省略）
【００１９】
　本発明の
端子電極用導体ペーストは、導電性粉末として
ニッケル含有フレーク状銅粉末用いる
内部電極としてニッケルを用いた焼成済みの積層セラミックコンデンサ素体に
内部電極との接合性等の優れた端子電極を形成することができる。
（省略）
【００４３】
　実施例１
　平均粒径８．０μｍ、平均厚み０．２μｍの
フレーク状銅粉末の粒子表面に
ニッケルの薄膜を
均一、一様に被覆し、フレーク状導電性粉末
【００４４】
　この
フレーク状導電性粉末１００重量部
導体ペースト
【００４５】
　
チタン酸バリウム系セラミック誘電体グリーンシートと、ニッケル内部電極との積層体を、高温で同時焼結して得られた、
積層セラミックコンデンサ素体を用意し
導体ペースト
コンデンサ素体のニッケル内部電極が露出した両端面に
浸漬法により塗布し、
乾燥させた。次いで、
焼成して端子電極を形成し、積層セラミックコンデンサを得た。
【００４６】
　（１）全域５ｐｐｍ以下の酸素を含む窒素雰囲気
　（２）昇温工程において６００℃に達するまでの領域は２００ｐｐｍの酸素を含む窒素雰囲気、次いで５ｐｐｍの酸素を含む窒素雰囲気に切換える
　（３）全域２００ｐｐｍの酸素を含む窒素雰囲気
　
それぞれの条件で端子電極を焼付けしたコンデンサにつき
ニッケル内部電極との接合性をＸ線マイクロアナライザ（ＸＭＡ）で調べた。
（省略）
【００５６】
　表中、
内部電極との接合性は、Ｃｕの拡散がＮｉ内部電極中にＣｕが平均５μｍ以上拡散していれば○、
として評価した。
表１
「       
」
イ　引用文献の上記記載及び表１から、次のことがいえる。
（ア）段落【００１９】、【００４３】、【００４４】によれば、端子電極は、ニッケルの薄膜により被覆されたフレーク状銅粉末を含む導体ペーストを積層セラミックコンデンサ素体に塗布し、焼成して形成されるから、該端子電極に銅が含まれることは明らかである。
（イ）段落【００１９】、【００４５】の記載、及び、上記（ア）で述べた点を踏まえれば、引用文献には、セラミック誘電体グリーンシートとニッケルを用いた内部電極との積層体を焼結して得られた積層セラミックコンデンサ素体と、積層セラミックコンデンサ素体の内部電極が露出した両端面に焼成して形成され、銅を含む端子電極と、を含む積層セラミックコンデンサが記載されているといえる。
（ウ）段落【００１９】、【００４６】、【００５６】によれば、端子電極と内部電極との接合性は、Ｃｕの拡散がＮｉ内部電極中にＣｕが平均５μｍ以上拡散していれば○、明確な拡散層が確認できなかったものを×として評価される。
　そして、表１によれば、引用文献には、端子電極と内部電極との接合性が○と評価された複数の実施例が示されているから、引用発明には、Ｎｉ内部電極中にＣｕが平均５μｍ以上拡散した拡散層が形成された積層セラミックコンデンサが記載されているといえる。
ウ　したがって、上記（ア）ないし（ウ）によれば、引用文献には以下の発明（以下、「引用発明１」という。）が記載されている。（なお、「Ｎｉ」および「Ｃｕ」は、「ニッケル」および「銅」と統一して表記した。）　
「セラミック誘電体グリーンシートとニッケルを用いた内部電極との積層体を焼結して得られた積層セラミックコンデンサ素体と、
　積層セラミックコンデンサ素体の内部電極が露出した両端面に焼成して形成され、銅を含む端子電極と、
　を含み、
　ニッケル内部電極中に銅が平均５μｍ以上拡散した拡散層が形成された積層セラミックコンデンサ。」
エ　また、引用文献の上記記載から、次のこともいえる。
　段落【０００２】によれば、引用文献には、誘電体セラミックグリーンシート上に内部電極用導体ペーストを所定のパターンで印刷したシートを複数枚積み重ね、圧着して、セラミックグリーンシートと内部電極ペースト層とが交互に積層された積層体を得ること、得られた積層体を所定の形状に切断後、高温で焼成して積層セラミックコンデンサ素体を得ること、素体の内部電極の露出する端面に、端子電極用導体ペーストを塗布し、高温で焼成することにより端子電極を形成することとを含む、積層セラミックコンデンサの製造方法が記載されているといえ、段落【００４５】からすれば、実施例を製造する際、該製造方法を採用していることは自明である。
　したがって、上記の点も踏まえれば、引用文献には、以下の発明（以下、「引用発明２」という。）も記載されている。
「誘電体セラミックグリーンシート上にニッケルを用いた内部電極用導体ペーストを所定のパターンで印刷したシートを複数枚積み重ね、圧着して、セラミックグリーンシートと内部電極ペースト層とが交互に積層された積層体を得ることと、
　得られた積層体を所定の形状に切断後、高温で焼成して積層セラミックコンデンサ素体を得ることと、
　素体の内部電極の露出する端面に、銅を含む端子電極用導体ペーストを塗布し、高温で焼成することにより銅を含む端子電極を形成すること、とを含み、
　ニッケル内部電極中に銅が平均５μｍ以上拡散した拡散層が形成された積層セラミックコンデンサの製造方法。」
（３）訂正発明２についての対比・判断
ア　訂正発明２と引用発明１との対比
（ア）訂正発明２の「第１電極物質」は「ニッケルまたはニッケル合金を含む」から、引用発明１の「ニッケルを用いた内部電極」は、訂正発明２の「第１電極物質を含む内部電極」に相当する。
　そして、引用発明１の焼結された「セラミック誘電体グリーンシート」は、訂正発明２の「誘電体層」に相当し、引用発明１の「積層セラミックコンデンサ素体」は、訂正発明２の「積層キャパシタ本体」に相当する。
　したがって、引用発明１の「セラミック誘電体グリーンシートとニッケルを用いた内部電極との積層体を焼結して得られた積層セラミックコンデンサ素体」は、訂正発明２の「第１電極物質を含む内部電極及び誘電体層が交互に積層された積層キャパシタ本体」に相当する。
（イ）引用発明１の「積層セラミックコンデンサ素体の内部電極が露出した両端面」は、訂正発明２の「前記キャパシタ本体の外部表面」に相当する。
　また、引用発明１の「端子電極」は、積層セラミックコンデンサ素体の内部電極が露出した両端面に焼成して形成されるから、引用発明１において、「端子電極」と「内部電極」とは電気的に連結されていることは当然のことである。
　そして、本件特許明細書段落【００３３】の「外部電極２は、銅（Ｃｕ）または銅合金（Ｃｕ　ａｌｌｏｙ）を含む第２電極物質からなっている。」との記載からすれば、訂正発明２の「第２電極物質」は銅を含むから、引用発明１の「銅を含む端子電極」は、訂正発明２の「第２電極物質を含む外部電極」に相当する。
　さらに、引用発明１における「銅を含む端子電極」は、焼成して形成されるのであるから、引用発明１において、「銅を含む端子電極」が焼結されていることは自明である。
　よって、引用発明１の「積層セラミックコンデンサ素体の内部電極が露出した両端面に焼成して形成され、銅を含む端子電極」は、訂正発明２の「前記キャパシタ本体の外部表面に形成され、前記内部電極と電気的に連結されて、焼結された第２電極物質を含む外部電極」に相当する。
（ウ）引用発明１において、「銅を含む端子電極」は「内部電極が露出した両端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　してみれば、引用発明１と訂正発明２とは、「前記内部電極と前記外部電極との接続領域における前記内部電極の端部に、前記第１電極物質と前記第２電極物質とが混在した拡散層を備え」ている点で共通する。
　ただし、「拡散層」に関し、訂正発明２は「１μｍ超過及び１３μｍ未満の長さを有する」のに対し、引用発明１は「平均５μｍ以上」拡散し、拡散層の長さの上限値については特定されていない点で相違する。
（エ）訂正発明２の「内部電極」は「第１電極物質」を含み、「第１電極物質は、ニッケルまたはニッケル合金」を含む。
　よって、「ニッケルを用いた内部電極」を有する引用発明１は、訂正発明２の「第１電極物質は、ニッケルまたはニッケル合金を含む」構成を備えている。
　よって、上記（ア）ないし（エ）から、訂正発明２と引用発明１との一致点と相違点は以下のとおりである。
（一致点）
「第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した拡散層を備え、
　前記第１電極物質は、ニッケルまたはニッケル合金を含む積層セラミックキャパシタ。」
（相違点１）
　「拡散層」に関し、訂正発明２は「１μｍ超過及び１３μｍ未満の長さを有する」のに対し、引用発明１は「平均５μｍ以上」拡散し、拡散層の長さの上限値については特定されていない点。
イ　相違点１についての判断
（ア）本件特許明細書等を参照すれば、訂正発明２は、超高容量でかつ高積層セラミックキャパシタにおいて、外部電極から内部電極への拡散が激しく発生すると、内部電極の体積膨脹によってクラックが発生し、発生したクラックによる曲げ強度の低下及びクラックを通じためっき液の浸透により、製品の信頼性が低下するという問題（段落【０００７】、【００３８】を参照）を解決するために、外部電極に含まれる第２電極物質が内部電極に拡散して形成される拡散層の長さを制御してその長さを「１μｍ超過１３μｍ未満」とすることより、安定して静電容量を確保し、かつ電極物質の拡散によるクラックを防止する（段落【００３９】、【００４６】、【００４７】、表１を参照）ものである。
（イ）一方、引用文献を参照すると、積層セラミックコンデンサにおいて内部電極にニッケル、端子電極に銅が使用される場合、端子電極の焼成は、これらの卑金属が焼成中に酸化されないように、通常極力酸素分圧の低い非酸化性雰囲気中で行われるため、バインダ樹脂や溶剤などのビヒクルの燃焼、分解、飛散（以下「脱バインダ」という。）を完全に行うことが難しく、効率よく脱バインダを行うためには、導体ペースト焼成時の昇温過程において、電極が緻密化する前の温度域で酸素濃度を数十〜数百ｐｐｍに上げ、ビヒクル残渣を完全に酸化除去した後、酸素濃度を低下させて非酸化性雰囲気中で焼成を行う方法が望ましいが、銅粉末は、このような少量の酸素によっても容易に酸化されてしまうという課題（段落【０００２】、【０００４】、【０００５】、【０００８】を参照）が記載されている。
　そして、該課題を解決するために、端子電極用導体ペーストの導電性粉末として、ニッケル、コバルト、鉄、亜鉛、錫、金、銀、パラジウム、白金、ロジウムよりなる群から選択された少なくとも１種の金属（以下”含有金属”という）、特にはニッケル含有フレーク状銅粉末用いること（段落【００１９】、【００３０】、【００３３】を参照）が記載されている。
　さらに、引用文献には、フレーク状銅粉末の粒子表面にニッケル薄膜を無電解メッキにより被覆したフレーク状導電性粉末の平均粒径、平均厚み、平均粒径／平均厚み、ニッケル薄膜の厚さ及びニッケル量を変化させたフレーク状導電性粉末を用いた実施例１ないし３の積層セラミックコンデンサと、フレーク状銅粉末の表面にニッケルめっきを行わない他は、実施例１、２と同様にして製造されたフレーク状導電性粉末を用いた比較例１、２の積層セラミックコンデンサと、ニッケル量、平均粒径、平均厚みを変化させ、ニッケルメッキしない以外は実施例１と同様に製造されたフレーク状導電性粉末を用いた実施例４の積層セラミックコンデンサと、球状銅粉末の表面に、ニッケルの薄膜を無電解メッキにより被覆した導電性粉末を用いた比較例３、４の積層セラミックコンデンサとを、それぞれ所定の条件で焼成して作製し、ニッケル内部電極との接合性、即ち、Ｃｕの拡散がＮｉ内部電極中にＣｕが平均５μｍ以上拡散していれば○、明確な拡散層が確認できなかったものを×として評価したことが記載されている（段落【００４３】ないし【００５５】、表１を参照）。
　しかしながら、引用文献には、各実施例における拡散層の具体的な長さについて記載されておらず、拡散層の長さの上限値について記載も示唆も見当たらない。
　さらに、引用文献には、外部電極から内部電極への拡散が激しく発生すると、内部電極の体積膨張によってクラックが発生するという課題も記載されておらず、また、外部電極に含まれる電極物質が内部電極に拡散して形成される拡散層の長さを制御するという技術思想も記載されていない。
（ウ）ここで、積層セラミックキャパシタにおいて、外部電極を形成するための導電性ペーストを高温で焼き付けた場合、外部電極の物質が内部電極へ過剰に拡散が生じ、内部電極が膨張して応力が生じ、該応力によってクラックが発生することは技術常識（必要であれば、国際公開第２００５／０５５２５７号段落［０００６］ないし［００１２］、特開２００５−３２２７５１号公報段落【０００１】、【０００８】、特開平１１−１０２８３５号公報段落【０００９】、【００１０】、特開平８−１８６０４９号公報段落【０００３】を参照）であることから、引用発明１においても端子電極用導体ペーストの焼き付け温度によっては、外部電極の物質が内部電極へ過剰に拡散が生じ、内部電極が膨張して応力が生じ、該応力によってクラックが発生する可能性があると推測される。
　しかしながら、上記（イ）で述べたように、引用文献には、外部電極に含まれる電極物質が内部電極に拡散して形成される拡散層の長さを制御するという技術思想は記載されておらず、さらに、クラックが発生しないように拡散層の長さを制御するという技術事項を示す証拠も他に見当たらないことから、引用発明１から拡散層の長さを制御してクラックが発生しない拡散層の長さの上限値を見出すことは、当業者であっても容易に想到し得ないことである。
　
（エ）本件特許明細書の段落【００４５】、【００４６】によれば、キャパシタ本体１の外側端部に、第２電極物質である銅ペーストを塗布した後、焼成条件を異にして積層セラミックキャパシタを形成し、内部電極４における拡散層４ａの長さが１３μｍ以上の場合、内部電極４の体積膨脹によるクラックが発生し始めることが判明され、表１によれば、拡散層の長さが１３μｍの実施例１４のクラックが発生し始めていることが見て取れる。
　しかしながら、上記（イ）で述べたように、引用文献には、各実施例における拡散層の具体的な長さについて記載されておらず、そして、上記（ウ）で述べたように、引用発明１から拡散層の長さの上限値を見出すことはできない。
　してみると、引用発明１において、拡散層の長さの上限値をあえて設け、これを「１３μｍ」とする動機付けは存在せず、当業者といえども、拡散層の長さの上限値を「１３μｍ」とすることを導き出すことはできない。
(オ)したがって、上記相違点１に係る構成は、引用発明１に基づいて当業者が容易に想到し得たものでもない。
ウ　小括
　よって、訂正発明２は、当業者であっても引用文献に記載された発明に基づいて容易に発明をすることができたものとはいえないから、特許法第２９条第２項の規定により、特許出願の際独立して特許を受けることができるものである。
（４）訂正発明３についての対比・判断
ア　訂正発明３と引用発明１との対比
（ア）本件特許明細書段落【００３３】の「内部電極４は、ニッケル（Ｎｉ）またはニッケル合金（Ｎｉ　ａｌｌｏｙ）を含む第１電極物質からなっている。」との記載からすれば、訂正発明３の「第１電極物質」はニッケルを含むから、引用発明１の「ニッケルを用いた内部電極」は、訂正発明３の「第１電極物質を含む内部電極」に相当する。
　また、引用発明１の焼結された「セラミック誘電体グリーンシート」は、訂正発明３の「誘電体層」に相当する。
　そして、引用発明１の「積層セラミックコンデンサ素体」は、訂正発明３の「積層キャパシタ本体」に相当するから、引用発明１の「セラミック誘電体グリーンシートとニッケルを用いた内部電極との積層体を焼結して得られた積層セラミックコンデンサ素体」は、訂正発明１の「第１電極物質を含む内部電極及び誘電体層が交互に積層された積層キャパシタ本体」に相当する。
（イ）引用発明１の「積層セラミックコンデンサ素体の内部電極が露出した両端面」は、訂正発明３の「前記キャパシタ本体の外部表面」に相当する。
　また、引用発明１の「端子電極」は、積層セラミックコンデンサ素体の内部電極が露出した両端面に焼成して形成されるから、引用発明１において、「端子電極」と「内部電極」とは電気的に連結されていることは当然のことである。
　そして、訂正発明３の「第２電極物質」は「銅または銅合金」を含むから、引用発明１の「銅を含む端子電極」は、訂正発明３の「第２電極物質を含む外部電極」に相当する。
　さらに、引用発明１における「銅を含む端子電極」は、焼成して形成されるのであるから、引用発明１において、「銅を含む端子電極」が焼結されていることは自明である。
　よって、引用発明１の「積層セラミックコンデンサ素体の内部電極が露出した両端面に焼成して形成され、銅を含む端子電極」は、訂正発明３の「前記キャパシタ本体の外部表面に形成され、前記内部電極と電気的に連結されて、焼結された第２電極物質を含む外部電極」に相当する。
（ウ）引用発明１において、「銅を含む端子電極」は「内部電極が露出した両端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　してみれば、引用発明１と訂正発明３とは、「前記内部電極と前記外部電極との接続領域における前記内部電極の端部に、前記第１電極物質と前記第２電極物質とが混在した拡散層を備え」ている点で共通する。
　ただし、「拡散層」に関し、訂正発明３は「１μｍ超過及び１３μｍ未満の長さを有する」のに対し、引用発明１は「平均５μｍ以上」拡散し、拡散層の長さの上限値については特定されていない点で相違する。
（エ）訂正発明３の「外部電極」は「第２電極物質」を含み、「第２電極物質は、銅または銅合金」を含む。
　よって、「銅を含む端子電極」を有する引用発明１は、訂正発明３の「第２電極物質は、銅または銅合金を含む」構成を備えている。
　よって、上記（ア）ないし（エ）から、訂正発明３と引用発明１との一致点と相違点は以下のとおりである。
（一致点）
「第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した拡散層を備え、
　前記第２電極物質は、銅または銅合金を含む積層セラミックキャパシタ。」
（相違点２）
　「拡散層」に関し、訂正発明３は「１μｍ超過及び１３μｍ未満の長さを有する」のに対し、引用発明１は「平均５μｍ以上」拡散し、拡散層の長さの上限値については特定されていない点。
イ　上記相違点２についての判断
　上記「（３）イ」で述べたように、「相違点１」に係る構成と同様、相違点２に係る構成は当業者であっても、引用発明１に基づいて容易に想到し得たものとはいえない。
ウ　小括
　よって、訂正発明３は、当業者であっても引用文献に記載された発明に基づいて容易に発明をすることができたものとはいえないから、特許法第２９条第２項の規定により、特許出願の際独立して特許を受けることができるものである。
（５）訂正発明４についての対比・判断
ア　訂正発明４と引用発明１との対比
（ア）本件特許明細書段落【００３３】の「内部電極４は、ニッケル（Ｎｉ）またはニッケル合金（Ｎｉ　ａｌｌｏｙ）を含む第１電極物質からなっている。」との記載からすれば、訂正発明４の「第１電極物質」はニッケルを含むから、引用発明１の「ニッケルを用いた内部電極」は、訂正発明４の「第１電極物質を含む内部電極」に相当する。
　また、引用発明１の焼結された「セラミック誘電体グリーンシート」は、訂正発明４の「誘電体層」に相当する。
　そして、引用発明１の「積層セラミックコンデンサ素体」は、訂正発明４の「積層キャパシタ本体」に相当するから、引用発明１の「セラミック誘電体グリーンシートとニッケルを用いた内部電極との積層体を焼結して得られた積層セラミックコンデンサ素体」は、訂正発明４の「第１電極物質を含む内部電極及び誘電体層が交互に積層された積層キャパシタ本体」に相当する。
（イ）引用発明１の「積層セラミックコンデンサ素体の内部電極が露出した両端面」は、訂正発明４の「前記キャパシタ本体の外部表面」に相当する。
　また、引用発明１の「端子電極」は、積層セラミックコンデンサ素体の内部電極が露出した両端面に焼成して形成されるから、引用発明１において、「端子電極」と「内部電極」とは電気的に連結されていることは当然のことである。
　そして、本件特許明細書段落【００３３】の「外部電極２は、銅（Ｃｕ）または銅合金（Ｃｕ　ａｌｌｏｙ）を含む第２電極物質からなっている。」との記載からすれば、訂正発明４の「第２電極物質」は銅を含むから、引用発明１の「銅を含む端子電極」は、訂正発明４の「第２電極物質を含む外部電極」に相当する。
　さらに、引用発明１における「銅を含む端子電極」は、焼成して形成されるのであるから、引用発明１において、「銅を含む端子電極」が焼結されていることは自明である。
　よって、引用発明１の「積層セラミックコンデンサ素体の内部電極が露出した両端面に焼成して形成され、銅を含む端子電極」は、訂正発明４の「前記キャパシタ本体の外部表面に形成され、前記内部電極と電気的に連結されて、焼結された第２電極物質を含む外部電極」に相当する。
（ウ）引用発明１において、「銅を含む端子電極」は「内部電極が露出した両端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　また、外部電極に含まれる銅が、ニッケルを含む内部電極に拡散されると、ニッケル銅合金が形成されることは技術常識であるから、引用発明１の「拡散層」においてもニッケル銅合金が含まれることは自明である。
　してみれば、引用発明１と訂正発明４とは、「前記内部電極と前記外部電極との接続領域における前記内部電極の端部に、前記第１電極物質と前記第２電極物質とが混在した拡散層を備え、前記拡散層は、ニッケル銅合金を含む積層セラミックキャパシタ」である点で共通する。
　ただし、「拡散層」に関し、訂正発明４は「１μｍ超過及び１３μｍ未満の長さを有する」のに対し、引用発明１は「平均５μｍ以上」拡散し、拡散層の長さの上限値については特定されていない点で相違する。
　よって、上記（ア）ないし（ウ）から、訂正発明４と引用発明１との一致点と相違点は以下のとおりである。
（一致点）
「第１電極物質を含む内部電極及び誘電体層が交互に積層された積層キャパシタ本体と、
　前記キャパシタ本体の外部表面に形成され、前記内部電極と電気的に連結されて、焼結された第２電極物質を含む外部電極と、
　を含み、
　前記内部電極と前記外部電極との接続領域における前記内部電極の端部に、前記第１電極物質と前記第２電極物質とが混在した拡散層を備え、
　前記拡散層は、ニッケル銅合金を含む積層セラミックキャパシタ。」
（相違点３）
　「拡散層」に関し、訂正発明４は「１μｍ超過及び１３μｍ未満の長さを有する」のに対し、引用発明１は「平均５μｍ以上」拡散し、拡散層の長さの上限値については特定されていない点。
イ　相違点３についての判断
　上記「（３）イ」で述べたように、「相違点１」に係る構成と同様、相違点３に係る構成は当業者であっても，引用発明１に基づいて容易に想到し得たものとはいえない。
ウ　小括
　よって、訂正発明４は、当業者であっても引用文献に記載された発明に基づいて容易に発明をすることができたものとはいえないから、特許法第２９条第２項の規定により、特許出願の際独立して特許を受けることができるものである。
（６）訂正発明７についての対比・判断
ア　訂正発明７と引用発明２との対比
（ア）引用発明２の焼成された「誘電体セラミックグリーンシート」は、訂正発明７の「誘電体層」に相当する。
　また、訂正発明７の「第１電極物質」は「ニッケルまたはニッケル合金」からなり、引用発明２では「内部電極用導体ペースト」に「ニッケルを用い」ており、「内部電極用導体ペースト」を焼成して「内部電極」が得られることは自明であるから、引用発明２の焼成された「ニッケルを用いた内部電極用導体ペースト」は、訂正発明７の「第１電極物質を含む内部電極」に相当する。
　そして、引用発明２では、「積層セラミックコンデンサ素体」を得るために、「圧着」する処理も行われ、該「圧着」は、訂正発明７の「加圧」に相当する。よって、引用発明２の「誘電体セラミックグリーンシート上にニッケルを用いた内部電極用導体ペーストを所定のパターンで印刷したシートを複数枚積み重ね、圧着して、セラミックグリーンシートと内部電極ペースト層とが交互に積層された積層体を得ることと、得られた積層体を所定の形状に切断後、高温で焼成して積層セラミックコンデンサ素体を得ること」とは、訂正発明７の「第１電極物質を含む内部電極及び誘電体層を交互に積層してキャパシタ本体を形成するステップ」及び「前記キャパシタ本体を加圧するステップ」に相当する。
（イ）本件特許明細書段落【００３３】の「外部電極２は、銅（Ｃｕ）または銅合金（Ｃｕ　ａｌｌｏｙ）を含む第２電極物質からなっている。」との記載から、訂正発明７の「第２電極物質」は銅を含み、引用発明２の「銅を含む端子電極」は、訂正発明２の「第２電極物質を含む外部電極」に相当する。
　そして、引用発明２の「素体の内部電極の露出する端面」は、訂正発明７の「キャパシタ本体の外部表面」に相当し、引用発明２において、「素体の内部電極の露出する端面」に「銅を含む端子電極用導体ペースト」が塗布されることにより、「ニッケル内部電極の露出する端面」に「銅を含む端子電極用導体ペースト」が付着されることは明らかである。
　さらに、引用発明２において、「銅を含む端子電極」は、「内部電極の露出する端面」に「銅を含む端子電極用導体ペースト」が塗布され、高温で焼成されて形成されるから、「銅を含む端子電極」と「内部電極」とが電気的に連結されることは当然のことである。
　よって、引用発明２の「素体の内部電極の露出する端面に、銅を含む端子電極導体ペーストを塗布し、高温で焼成することにより銅を含む端子電極を形成すること」は、訂正発明７の「前記キャパシタ本体の外部表面に形成され、前記内部電極と電気的に連結されて、第２電極物質を含む外部電極を形成するステップ」及び「前記外部電極が付着された前記キャパシタ本体を焼成するステップ」に相当する。
（ウ）訂正発明７は、キャパシタ本体の上面及び下面のうち少なくとも一面に誘電体形成物質を含む保護層を形成するステップを含むのに対し、引用発明２はその旨の特定がされていない点で相違する。
（エ）引用発明２において、「銅を含む端子電極」は「内部電極の露出する端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　してみれば、引用発明２と訂正発明７とは、「前記内部電極と前記外部電極との接続領域における前記内部電極の端部に、前記第１電極物質と前記第２電極物質とが混在した拡散層が形成され」る点で共通する。
　ただし、「拡散層」に関し、訂正発明７は「１μｍ超過及び１３μｍ未満の長さを有する」のに対し、引用発明２は「平均５μｍ以上」拡散し、拡散層の長さの上限値については特定されていない点で相違する。
（オ）訂正発明７の「内部電極」は「第１電極物質」を含み、「第１電極物質は、ニッケルまたはニッケル合金」からなる。
　よって、「ニッケルを用いた内部電極用導体ペースト」を有する引用発明２は、訂正発明７の「第１電極物質は、ニッケルまたはニッケル合金からなる」構成を備えている。
　よって、上記（ア）ないし（オ）から、訂正発明７と引用発明２との一致点と相違点とは以下のとおりである。
（一致点）
「第１電極物質を含む内部電極及び誘電体層を交互に積層してキャパシタ本体を形成するステップと、
　前記キャパシタ本体の外部表面に形成され、前記内部電極と電気的に連結されて、第２電極物質を含む外部電極を形成するステップと、
　前記キャパシタ本体を加圧するステップと、
　前記外部電極が付着された前記キャパシタ本体を焼成するステップと、
を含み、
　前記内部電極と前記外部電極との接続領域における前記内部電極の端部に、前記第１電極物質と前記第２電極物質とが混在した拡散層が形成され、
　前記第1電極物質は、ニッケルまたはニッケル合金からなる積層セラミックキャパシタの製造方法。」
（相違点４）
　訂正発明７は「前記キャパシタ本体の上面及び下面のうち少なくとも一面に誘電体形成物質を含む保護層を形成するステップ」を含むのに対し、引用発明２はその旨の特定がされていない点。
（相違点５）
「拡散層」に関し、訂正発明７は「１μｍ超過及び１３μｍ未満の長さを有する」のに対し、引用発明２は「平均５μｍ以上」拡散し、拡散層の長さの上限値については特定されていない点。
イ　相違点についての判断
　事案に鑑み、まず相違点５について判断する。
　上記「（３）イ」で述べたように、「相違点１」に係る構成と同様、相違点５に係る構成は当業者であっても、引用発明２に基づいて容易に想到し得たものとはいえない。
ウ　小括
　よって、他の相違点について判断するまでもなく、訂正発明７は、当業者であっても引用文献に記載された発明に基づいて容易に発明をすることができたものとはいえないから、特許法第２９条第２項の規定により、特許出願の際独立して特許を受けることができるものである。
（７）訂正発明８についての対比・判断
ア　訂正発明８と引用発明２との対比
（ア）引用発明２の焼成された「誘電体セラミックグリーンシート」は、訂正発明８の「誘電体層」に相当する。
　また、本件特許明細書段落【００３３】の「内部電極４は、ニッケル（Ｎｉ）またはニッケル合金（Ｎｉ　ａｌｌｏｙ）を含む第１電極物質からなっている。」との記載からすれば、訂正発明８の「第１電極物質」はニッケルを含み、引用発明２では「内部電極用導体ペースト」に「ニッケルを用い」ており、「内部電極用導体ペースト」を焼成して「内部電極」が得られることは自明であるから、引用発明２の焼成された「ニッケルを用いた内部電極用導体ペースト」は、訂正発明８の「第１電極物質を含む内部電極」に相当する。
　そして、引用発明２では、「積層セラミックコンデンサ素体」を得るために、「圧着」する処理も行われ、該「圧着」は、訂正発明８の「加圧」に相当する。よって、引用発明２の「誘電体セラミックグリーンシート上にニッケルを用いた内部電極用導体ペーストを所定のパターンで印刷したシートを複数枚積み重ね、圧着して、セラミックグリーンシートと内部電極ペースト層とが交互に積層された積層体を得ることと、得られた積層体を所定の形状に切断後、高温で焼成して積層セラミックコンデンサ素体を得ること」とは、訂正発明８の「第１電極物質を含む内部電極及び誘電体層を交互に積層してキャパシタ本体を形成するステップ」及び「前記キャパシタ本体を加圧するステップ」に相当する。
（イ）訂正発明８の「第２電極物質」は「銅または銅合金」からなるから、引用発明２の「銅を含む端子電極」は、訂正発明２の「第２電極物質を含む外部電極」に相当する。
　そして、引用発明２の「素体の内部電極の露出する端面」は、訂正発明８の「キャパシタ本体の外部表面」に相当し、引用発明２において、「素体の内部電極の露出する端面」に「銅を含む端子電極用導体ペースト」が塗布されることにより、「ニッケル内部電極の露出する端面」に「銅を含む端子電極用導体ペースト」が付着されることは明らかである。
　さらに、引用発明２において、「銅を含む端子電極」は、「内部電極の露出する端面」に「銅を含む端子電極用導体ペースト」が塗布され、高温で焼成されて形成されるから、「銅を含む端子電極」と「内部電極」とが電気的に連結されることは当然のことである。
　よって、引用発明２の「素体の内部電極の露出する端面に、銅を含む端子電極導体ペーストを塗布し、高温で焼成することにより銅を含む端子電極を形成すること」は、訂正発明８の「前記キャパシタ本体の外部表面に形成され、前記内部電極と電気的に連結されて、第２電極物質を含む外部電極を形成するステップ」及び「前記外部電極が付着された前記キャパシタ本体を焼成するステップ」に相当する。
（ウ）訂正発明８は、キャパシタ本体の上面及び下面のうち少なくとも一面に誘電体形成物質を含む保護層を形成するステップを含むのに対し、引用発明２はその旨の特定がされていない点で相違する。
（エ）引用発明２において、「銅を含む端子電極」は「内部電極の露出する端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　してみれば、引用発明２と訂正発明８とは、「前記内部電極と前記外部電極との接続領域における前記内部電極の端部に、前記第１電極物質と前記第２電極物質とが混在した拡散層が形成され」る点で共通する。
　ただし、「拡散層」に関し、訂正発明８は「１μｍ超過及び１３μｍ未満の長さを有する」のに対し、引用発明２は「平均５μｍ以上」拡散し、拡散層の長さの上限値については特定されていない点で相違する。
（オ）訂正発明８の「外部電極」は「第２電極物質」を含み、「第２電極物質は、銅または銅合金」からなる。
　よって、「銅を含む端子電極」を有する引用発明２は、訂正発明８の「第２電極物質は、銅または銅合金からなる」構成を備えている。
　よって、上記（ア）ないし（オ）から、訂正発明８と引用発明２との一致点と相違点は以下のとおりである。
（一致点）
「第１電極物質を含む内部電極及び誘電体層を交互に積層してキャパシタ本体を形成するステップと、
　前記キャパシタ本体の外部表面に形成され、前記内部電極と電気的に連結されて、第２電極物質を含む外部電極を形成するステップと、
　前記キャパシタ本体を加圧するステップと、
　前記外部電極が付着された前記キャパシタ本体を焼成するステップと、
を含み、
　前記内部電極と前記外部電極との接続領域における前記内部電極の端部に、前記第１電極物質と前記第２電極物質とが混在した拡散層が形成され、
　前記第２電極物質は、銅または銅合金からなる積層セラミックキャパシタの製造方法。」
（相違点６）
　訂正発明８は「前記キャパシタ本体の上面及び下面のうち少なくとも一面に誘電体形成物質を含む保護層を形成するステップ」を含むのに対し、引用発明２はその旨の特定がされていない点。
（相違点７）
「拡散層」に関し、訂正発明８は「１μｍ超過及び１３μｍ未満の長さを有する」のに対し、引用発明２は「平均５μｍ以上」拡散し、拡散層の長さの上限値については特定されていない点。
イ　相違点についての判断
　事案に鑑み、まず相違点７について判断する。
　上記「（３）イ」で述べたように、「相違点１」に係る構成と同様、相違点７に係る構成は当業者であっても、引用発明２に基づいて容易に想到し得たものとはいえない。
ウ　小括
　よって、他の相違点について判断するまでもなく、訂正発明８は、当業者であっても引用文献に記載された発明に基づいて容易に発明をすることができたものとはいえないから、特許法第２９条第２項の規定により、特許出願の際独立して特許を受けることができるものである。
（８）訂正発明９についての対比・判断
ア　訂正発明９と引用発明２との対比
（ア）引用発明２の焼成された「誘電体セラミックグリーンシート」は、訂正発明９の「誘電体層」に相当する。
　また、本件特許明細書段落【００３３】の「内部電極４は、ニッケル（Ｎｉ）またはニッケル合金（Ｎｉ　ａｌｌｏｙ）を含む第１電極物質からなっている。」との記載からすれば、訂正発明９の「第１電極物質」はニッケルを含み、引用発明２では「内部電極用導体ペースト」に「ニッケルを用い」ており、「内部電極用導体ペースト」を焼成して「内部電極」が得られることは自明であるから、引用発明２の焼成された「ニッケルを用いた内部電極用導体ペースト」は、訂正発明９の「第１電極物質を含む内部電極」に相当する。
　そして、引用発明２では、「積層セラミックコンデンサ素体」を得るために、「圧着」する処理も行われ、該「圧着」は、訂正発明９の「加圧」に相当する。
　よって、引用発明２の「誘電体セラミックグリーンシート上にニッケルを用いた内部電極用導体ペーストを所定のパターンで印刷したシートを複数枚積み重ね、圧着して、セラミックグリーンシートと内部電極ペースト層とが交互に積層された積層体を得ることと、得られた積層体を所定の形状に切断後、高温で焼成して積層セラミックコンデンサ素体を得ること」とは、訂正発明９の「第１電極物質を含む内部電極及び誘電体層を交互に積層してキャパシタ本体を形成するステップ」及び「前記キャパシタ本体を加圧するステップ」に相当する。
（イ）本件特許明細書段落【００３３】の「外部電極２は、銅（Ｃｕ）または銅合金（Ｃｕ　ａｌｌｏｙ）を含む第２電極物質からなっている。」との記載から、訂正発明９の「第２電極物質」は銅を含み、引用発明２の「銅を含む端子電極」は、訂正発明２の「第２電極物質を含む外部電極」に相当する。
　そして、引用発明２の「素体の内部電極の露出する端面」は、訂正発明９の「キャパシタ本体の外部表面」に相当し、引用発明２において、「素体の内部電極の露出する端面」に「銅を含む端子電極用導体ペースト」が塗布されることにより、「ニッケル内部電極の露出する端面」に「銅を含む端子電極用導体ペースト」が付着されることは明らかである。
　さらに、引用発明２において、「銅を含む端子電極」は、「内部電極の露出する端面」に「銅を含む端子電極用導体ペースト」が塗布され、高温で焼成されて形成されるから、「銅を含む端子電極」と「内部電極」とが電気的に連結されることは当然のことである。
　よって、引用発明２の「素体の内部電極の露出する端面に、銅を含む端子電極導体ペーストを塗布し、高温で焼成することにより銅を含む端子電極を形成すること」は、訂正発明９の「前記キャパシタ本体の外部表面に形成され、前記内部電極と電気的に連結されて、第２電極物質を含む外部電極を形成するステップ」及び「前記外部電極が付着された前記キャパシタ本体を焼成するステップ」に相当する。
（ウ）訂正発明９は、キャパシタ本体の上面及び下面のうち少なくとも一面に誘電体形成物質を含む保護層を形成するステップを含むのに対し、引用発明２はその旨の特定がされていない点で相違する。
（エ）引用発明２において、「銅を含む端子電極」は「内部電極の露出する端面」に形成されるから、「ニッケル内部電極中に銅が平均５μｍ以上拡散した」とは、端子電極に含まれる銅が、端子電極と接続された内部電極の端面からニッケル内部電極中に平均５μｍ以上拡散して拡散層を形成していることといえ、その「拡散層」には、銅とニッケルが混在していることは当然のことである。
　また、外部電極に含まれる銅が、ニッケルを含む内部電極に拡散されると、ニッケル銅合金が形成されることは技術常識であるから、引用発明２の「拡散層」においてもニッケル銅合金が含まれることは自明である。
　してみれば、引用発明２と訂正発明９とは、「前記内部電極と前記外部電極との接続領域における前記内部電極の端部に、前記第１電極物質と前記第２電極物質とが混在した拡散層が形成され、拡散層は、ニッケル銅合金からなる積層セラミックキャパシタの製造方法」である点で共通する。
　ただし、「拡散層」に関し、訂正発明９は「１μｍ超過及び１３μｍ未満の長さを有する」のに対し、引用発明２は「平均５μｍ以上」拡散し、拡散層の長さの上限値については特定されていない点で相違する。
　よって、上記（ア）ないし（エ）から、訂正発明９と引用発明２との一致点と相違点は以下のとおりである。
（一致点）
「第１電極物質を含む内部電極及び誘電体層を交互に積層してキャパシタ本体を形成するステップと、
　前記キャパシタ本体の外部表面に形成され、前記内部電極と電気的に連結されて、第２電極物質を含む外部電極を形成するステップと、
　前記キャパシタ本体を加圧するステップと、
　前記外部電極が付着された前記キャパシタ本体を焼成するステップと、
を含み、
　前記内部電極と前記外部電極との接続領域における前記内部電極の端部に、前記第１電極物質と前記第２電極物質とが混在した拡散層が形成され、
　前記拡散層は、ニッケル銅合金からなる積層セラミックキャパシタの製造方法。」
（相違点８）
　訂正発明９は「前記キャパシタ本体の上面及び下面のうち少なくとも一面に誘電体形成物質を含む保護層を形成するステップ」を含むのに対し、引用発明２はその旨の特定がされていない点。
（相違点９）
「拡散層」に関し、訂正発明９は「１μｍ超過及び１３μｍ未満の長さを有する」のに対し、引用発明２は「平均５μｍ以上」拡散し、拡散層の長さの上限値については特定されていない点。
イ　相違点についての判断
　事案に鑑み、まず相違点９について判断する。
　上記「（３）イ」で述べたように、「相違点１」に係る構成と同様、相違点９に係る構成は当業者であっても、引用発明に基づいて容易に想到し得たものとはいえない。
ウ　小括
　よって、他の相違点について判断するまでもなく、訂正発明９は、当業者であっても引用文献に記載された発明に基づいて容易に発明をすることができたものとはいえないから、特許法第２９条第２項の規定により、特許出願の際独立して特許を受けることができるものである。
（９）まとめ
　したがって、訂正発明２ないし４、７ないし９は、特許出願の際独立して特許を受けることができるものであるから、訂正事項１ないし６は、特許法第１２６条第７項の規定に適合するものである。
５　むすび
　以上のとおり、本件訂正は、特許法第１２６条第１項ただし書第１号、第３号、及び第４号に掲げる事項を目的とし、かつ、同条第５項ないし第７項の規定に適合する。
　よって、結論のとおり審決する。